(57)【要約】【課題】ベースキャビネットにおける固定収納部の扉、引出し収納部の前板および幕板の色や柄を低コストに且つ容易に変えることのできるシステムキッチン。【解決手段】ベースキャビネットにおける固定収納部の扉、引出し収納部の前板、および固設部分を覆う幕板は、扉、前板または幕板の本体部分を構成する基材（１０）と、基材を覆うように構成された透明または半透明のカバー（１１）と、基材とカバーとの間に挿脱自在に設けられた所定の色または柄を有するシート（１２）とを備えている。【選択図】　図２
2004105657.tif 000002
【特許請求の範囲】
【請求項１】
ベースキャビネットにおける固定収納部の扉、引出し収納部の前板、および固設部分を覆う幕板は、前記扉、前記前板または前記幕板の本体部分を構成する基材と、該基材を覆うように構成された透明または半透明のカバーと、前記基材と前記カバーとの間に挿脱自在に設けられた所定の色または柄を有するシートとを備えていることを特徴とするシステムキッチン。
【請求項２】
前記シートの両面に所定の色または柄が印刷されていることを特徴とする請求項１に記載のシステムキッチン。
【請求項３】
前記基材と前記カバーとは別体に形成され、
前記基材に対して前記カバーを着脱自在に取り付けるための取付具をさらに備えていることを特徴とする請求項１または２に記載のシステムキッチン。
【請求項４】
前記基材と前記カバーとは一体的に成形されていることを特徴とする請求項１または２に記載のシステムキッチン。
【発明の詳細な説明】
【０００１】
【発明の属する技術分野】
本発明は、システムキッチンに関するものである。
【０００２】
【従来の技術】
システムキッチンは、床の上に載置されるベースキャビネットを有する。ベースキャビネットの内部には、片開きの扉または両開きの扉の取り付けられた固定収納部や、引出し収納部などが設けられている。一般に、固定収納部の扉の表面、引出し収納部の前板の表面、および収納部以外の固設部分を覆う幕板の表面には、全体的に統一された色または柄が不変的に付与されている。
【０００３】
【発明が解決しようとする課題】
したがって、従来技術では、固定収納部の扉、引出し収納部の前板および幕板の色や柄を変えたい場合には、扉自体を取り換えたり、引出し収納部を取り換えたり、幕板自体を取り換えたりする必要がある。しかしながら、扉の取換え、引出し収納部の取換え、および幕板の取換えは、コスト的にも容易に行うことができないという不都合があった。
【０００４】
本発明は、前述の課題に鑑みてなされたものであり、ベースキャビネットにおける固定収納部の扉、引出し収納部の前板および幕板の色や柄を低コストに且つ容易に変えることのできるシステムキッチンを提供することを目的とする。
【０００５】
【課題を解決するための手段】
前記課題を解決するために、本発明では、ベースキャビネットにおける固定収納部の扉、引出し収納部の前板、および固設部分を覆う幕板は、前記扉、前記前板または前記幕板の本体部分を構成する基材と、該基材を覆うように構成された透明または半透明のカバーと、前記基材と前記カバーとの間に挿脱自在に設けられた所定の色または柄を有するシートとを備えていることを特徴とするシステムキッチンを提供する。
【０００６】
本発明の好ましい態様によれば、前記シートの両面に所定の色または柄が印刷されている。また、前記基材と前記カバーとは別体に形成され、前記基材に対して前記カバーを着脱自在に取り付けるための取付具をさらに備えているか、あるいは前記基材と前記カバーとは一体的に成形されていることが好ましい。
【０００７】
【発明の実施の形態】
本発明は、ベースキャビネットにおける固定収納部の扉、引出し収納部の前板、または収納部以外の固設部分を覆う幕板の本体部分を構成する基材と、この基材を覆うように構成された透明または半透明のカバーとの間に、所定の色または柄を有するシートを挿脱自在に設けることができるように構成されている。その結果、本発明では、ベースキャビネットにおける固定収納部の扉、引出し収納部の前板および幕板の色や柄を低コストに且つ容易に変えることができる。
【０００８】
なお、本発明では、シートの両面に所定の色または柄が印刷されていることが好ましい。この構成では、シートの一方の面と他方の面とを使い分けることにより、１つのシートで色や柄の変更を２回行うことができる。ところで、基材とカバーとは、別体に形成されていてもよいし、一体的に成形されていてもよい。
【０００９】
本発明の実施形態を、添付図面に基づいて説明する。
図１は、本発明の実施形態にかかるシステムキッチンの全体構成を概略的に示す図である。図１を参照すると、本実施形態のシステムキッチンは、床の上に載置されたベースキャビネット１を備えている。ベースキャビネット１の上部には、システムキッチンに向かって最も右側にシンク２が設けられ、最も左側に電気コンロ（またはガスコンロ）のような加熱調理器３が設けられている。
【００１０】
また、シンク２と電気コンロ３との間には、カウンター４が設けられている。さらに、シンク２、カウンター４および電気コンロ３の後方には、システムキッチンのほぼ全幅に亘って、バックガード５が設けられている。そして、バックガード５においてシンク２に対応する位置には水栓６が設けられ、バックガード５において電気コンロ３に対応する位置には排気口７が設けられている。たとえば電気コンロ３の下方に配置された魚焼器から発生する煙は、この排気口７を介して外部へ排出される。
【００１１】
ベースキャビネット１の内部には、図示を省略したが、片開きの扉または両開きの扉の取り付けられた固定収納部や、引出し収納部などが設けられている。後述するように、本実施形態の各例では、固定収納部の扉、引出し収納部の前板、および収納部以外の固設部分を覆う幕板に対して本発明を適用している。
【００１２】
図２は、本実施形態の第１例における扉または前板の構成を概略的に示す斜視図である。図２（ａ）を参照すると、第１例では、固定収納部の扉または引出し収納部の前板の本体部分を構成する基材１０が、たとえばパーチクルボードのような木質材料や発泡押出材のような樹脂材料などにより、矩形状のプレートの形態に形成されている。また、基材１０を覆うように構成されたカバー１１は、たとえば乳白アクリルのような光透過素材を用いて、押出成型または曲げ加工などにより形成されている。
【００１３】
さらに、基材１０とカバー１１との間に挿入されるシート１２は、たとえば紙やフィルム（樹脂シート）により形成され、その片面または両面に所定の色または柄が印刷されている。なお、図２（ｂ）に示すように、基材１０の側面には爪状部材１０ａが間隔を隔てて配置され、各爪状部材１０ａに係合すべき開口部１１ｂがカバー１１の側面の対応位置に間隔を隔てて形成されている。すなわち、爪状部材１０ａと開口部１１ｂとは、基材１０に対してカバー１１を着脱自在に取り付けるための取付具を構成している。
【００１４】
第１例では、基材１０の表面上にシート１２を敷設し、基材１０の表面の前方からカバー１１を基材１０に押し付けることにより、爪状部材１０ａと開口部１１ｂとが係合する。こうして、扉または前板の本体部分を構成する基材１０と、この基材１０を覆うように構成された半透明（または透明）のカバー１１との間に、所定の色または柄を有するシート１２を挿脱自在に設けることができる。
【００１５】
その結果、第１例では、ベースキャビネット１における固定収納部の扉および引出し収納部の前板の色や柄を低コストに且つ容易に変えることができる。また、第１例では、シート１１の両面に所定の色または柄が印刷されているので、シート１１の一方の面と他方の面とを使い分けることにより、１つのシート１１で色や柄の変更を２回行うことができる。
【００１６】
図３は、本実施形態の第２例における扉または前板の構成を概略的に示す斜視図である。第２例は第１例と類似の構成を有するが、第１例では基材の表面の前方からカバーを基材に押し付けて取り付けるのに対し、第２例では基材の表面に平行な方向に沿ってカバーを基材にスライドさせて取り付ける点が基本的に相違している。以下、第１例との相違点に着目して第２例を説明する。
【００１７】
図３を参照すると、第２例では、第１例と同様に木質材料や樹脂材料などにより形成された矩形状のプレートの形態を有する基材２０の表面上に、第１例におけるシート１２と類似の構成を有するシート２２を敷設する。次いで、基材２０の表面と平行な方向に沿って、第１例におけるカバー１１と類似の構成を有するカバー２１を基材２０にスライドさせて取り付ける。なお、基材２０へのカバー２１の取り付けに際して、たとえばビス２３のようなネジ締結手段を用いることができる。
【００１８】
さらに、第２例では、基材２０にカバー２１を取り付けた後に、基材２０およびカバー２１の端面部分を覆うための一対のサイドキャップ２４を、たとえばビス２５のようなネジ締結手段を用いて基材２０に取り付ける。こうして、第２例においても第１例と同様に、扉または前板の本体部分を構成する基材２０と、この基材２０を覆うように構成された半透明（または透明）のカバー２１との間に、所定の色または柄を有するシート２２を挿脱自在に設けることができる。
【００１９】
図４は、本実施形態の第３例における幕板の構成を概略的に示す斜視図である。また、図５は、第３例における基材へのカバーの取付機構を説明する図である。第３例は第１例と類似の構成を有するが、第１例では固定収納部の扉または引出し収納部の前板に対して本発明を適用しているのに対し、第３例では収納部以外の固設部分を覆う幕板に対して本発明を適用している点が基本的に相違している。以下、第１例との相違点に着目して第３例を説明する。
【００２０】
図４（ａ）を参照すると、第３例では、幕板の本体部分を構成する基材３０が、たとえばメラミン化粧板のような木質材料や適当な樹脂材料などにより、格子状の形態に形成されている。基材３０の上面には爪部３０ａが間隔を隔てて配置され、基材３０の下面には開口部３０ｂが間隔を隔てて形成されている。これに対応するように、第１例におけるカバー１１と類似の構成を有するカバー３１の上面には、爪部３０ａに係合すべき開口部３１ａが間隔を隔てて形成されている。
【００２１】
また、カバー３１の下面には、開口部３０ｂと整列するように開口部３１ｂが間隔を隔てて形成されている。したがって、第３例では、基材３０の表側に第１例におけるシート１２と類似の構成を有するシート３２を配置し、カバー３１を基材３０に前方から押し付けて位置決めする。このとき、爪部３０ａと開口部３０ｂとが係合し、開口部３０ｂと開口部３１ｂとが整列する。
【００２２】
この状態において、図５に示すような湾曲した形態を有し且つ整列した開口部３０ｂと開口部３１ｂとを貫通するように構成されたファスナー３３を用いて、カバー３１を基材３０に取り付ける。こうして、第３例では、幕板の本体部分を構成する基材３０と、この基材３０を覆うように構成された半透明（または透明）のカバー３１との間に、所定の色または柄を有するシート３２を挿脱自在に設けることができる。
【００２３】
図６は、本実施形態の第４例における幕板の構成を概略的に示す斜視図である。第４例は第３例と類似の構成を有するが、第３例では基材の表面の前方からカバーを基材に押し付けて取り付けるのに対し、第４例では基材の表面に平行な方向に沿ってカバーを基材にスライドさせて取り付ける点が基本的に相違している。以下、第３例との相違点に着目して第４例を説明する。
【００２４】
図６を参照すると、第４例では、たとえば発泡スチレンにより形成された矩形状の介在部材４３の表面上に、第１例におけるシート１２と類似の構成を有するシート４２を敷設する。そして、表面にシート４２が敷設された介在部材４３を、第２例におけるカバー２１と類似の構成を有するカバー４１の中に挿入して位置決めする。次いで、第３例と同様に木質材料や樹脂材料などにより形成された矩形状のプレートの形態を有する基材４０を、その表面と平行な方向に沿ってカバー４１にスライドさせて位置決めする。
【００２５】
なお、基材４０とカバー４１との取り付けに際して、たとえばビス４４のようなネジ締結手段を用いることができる。さらに、第４例では、基材４０にカバー４１を取り付けた後に、基材４０およびカバー４１の端面部分を覆うための一対のサイドキャップ４５を、たとえば嵌合方式によりカバー４１に取り付ける。
【００２６】
こうして、第４例においても第３例と同様に、幕板の本体部分を構成する基材４０と、この基材４０を覆うように構成された半透明（または透明）のカバー４１との間に、所定の色または柄を有するシート４２を挿脱自在に設けることができる。なお、第４例において介在部材４３の設置を省略するために、プレートの形態を有する基材４０に代えて、図６に示すように表面側に水平方向の突起部を有する基材４０ａを用いることもできる。
【００２７】
なお、上述の実施形態では、基材とカバーとを別体に形成しているが、これに限定されることなく、基材とカバーとを一体的に成形することもできる。
【００２８】
また、本実施形態では、メーカー仕様の色や柄のシートだけでなく、自分の好みに合った色や柄の紙、写真、ポスターなどをシートとして使用することができる。さらに、本実施形態では、メーカーが色や柄の異なる１枚または複数枚のシートを交換用シートとして初期的に供給する形態も可能である。
【００２９】
【発明の効果】
以上説明したように、本発明では、ベースキャビネットにおける固定収納部の扉、引出し収納部の前板、または収納部以外の固設部分を覆う幕板の本体部分を構成する基材と、この基材を覆うように構成された透明または半透明のカバーとの間に、所定の色または柄を有するシートを挿脱自在に設けることができるように構成されているので、ベースキャビネットにおける固定収納部の扉、引出し収納部の前板および幕板の色や柄を低コストに且つ容易に変えることができる。
【００３０】
また、本発明では、シートの両面に所定の色または柄を印刷することにより、シートの一方の面と他方の面とを使い分けて、１つのシートで色や柄の変更を２回行うことができる。なお、従来、メーカーは扉や前板や幕板を色ごとに在庫管理しているが、本発明によりその必要がなくなるので、在庫管理が著しく簡素化され、コストの大幅な削減が可能になる。
【図面の簡単な説明】
【図１】本発明の実施形態にかかるシステムキッチンの全体構成を概略的に示す図である。
【図２】本実施形態の第１例における扉または前板の構成を概略的に示す斜視図である。
【図３】本実施形態の第２例における扉または前板の構成を概略的に示す斜視図である。
【図４】本実施形態の第３例における幕板の構成を概略的に示す斜視図である。
【図５】第３例における基材へのカバーの取付機構を説明する図である。
【図６】本実施形態の第４例における幕板の構成を概略的に示す斜視図である。
【符号の説明】
１　ベースキャビネット
２　シンク
３　電気コンロ（またはガスコンロ：加熱調理器）
４　カウンター
５　バックガード
６　水栓
７　排気口
１０，２０，３０，４０　基材
１１，２１．３１，４１　カバー
１２，２２，３２，４２　シート
【図１】
2004105657.tif 000003
【図２】
2004105657.tif 000004
【図３】
2004105657.tif 000005
【図４】
2004105657.tif 000006
【図５】
2004105657.tif 000007
【図６】
2004105657.tif 000008